(57)【要約】【課題】スイッチ開閉検出装置において、簡素な構成で、複数のインタロックスイッチの中から開閉したインタロックスイッチを推測する。【解決手段】スイッチ開閉検出装置の（制御部９０）は、複数のインタロックスイッチ（第１〜第３インタロックスイッチＳＷ１〜ＳＷ３）が直列に接続された電源ラインＬが開放状態となったことを検出する検出部（マイコン９１）と、この検出部によって電源ラインの開放状態が検出されたときの機器（第１給紙トレイ１１）の状態に基づいて、複数のインタロックスイッチの中から開閉したインタロックスイッチを推測する推測部（マイコン９１）とを備える。【選択図】図２
2020152549.tif 000002
【特許請求の範囲】
【請求項１】
複数のインタロックスイッチが直列に接続された電源ラインが開放状態となったことを検出する検出部と、
前記検出部によって前記電源ラインの開放状態が検出されたときの機器の状態に基づいて、前記複数のインタロックスイッチの中から開閉したインタロックスイッチを推測する推測部と
を備えることを特徴とするスイッチ開閉検出装置。
【請求項２】
前記電源ラインが開放状態となることで、前記機器を駆動する駆動部への電力供給を遮断する電力供給遮断部を更に備え、
前記機器の状態は、前記駆動部によって駆動される前記機器の動作状態である
ことを特徴とする請求項１記載のスイッチ開閉検出装置。
【請求項３】
前記機器は、媒体が積載される昇降可能なトレイであり、
前記複数のインタロックスイッチは、前記トレイの上方に配置された第１インタロックスイッチと、前記トレイの下方に配置された第２インタロックスイッチとを含む
ことを特徴とする請求項１又は２記載のスイッチ開閉検出装置。
【請求項４】
前記トレイは、前記媒体を印刷部へ供給する供給トレイであり、
前記複数のインタロックスイッチは、前記印刷部と前記供給トレイとを備える印刷装置に連結される媒体供給装置に配置された第３インタロックスイッチを更に含み、
前記第３インタロックスイッチは、前記供給トレイの下方に配置されている
ことを特徴とする請求項３記載のスイッチ開閉検出装置。
【請求項５】
前記機器は、積載される媒体を印刷部へ供給する昇降可能な供給トレイであり、
前記供給トレイの動作状態は、上昇中、媒体供給中、下降中、及び停止中のうち少なくとも１つを含む
ことを特徴とする請求項２記載のスイッチ開閉検出装置。
【請求項６】
前記推測部は、前記機器の状態に基づいて、前記複数のインタロックスイッチの中から、開閉した可能性が高い複数のインタロックスイッチの候補を推測し、
前記スイッチ開閉検出装置は、前記推測部によって推測された前記複数のインタロックスイッチの配置箇所を、前記インタロックスイッチが開閉した可能性が高い順にユーザに報知する報知制御を行う報知制御部を更に備える
ことを特徴とする請求項１から５のいずれか１項記載のスイッチ開閉検出装置。
【発明の詳細な説明】
【技術分野】
【０００１】
本発明は、複数のインタロックスイッチの中から開閉したインタロックスイッチを推測するスイッチ開閉検出装置に関する。
【背景技術】
【０００２】
従来、印刷装置に配置される給紙トレイは、昇降するため、給紙トレイの上方及び下方のそれぞれに、誤って挿入物が挿入されたことを検出するためのインタロックスイッチが配置されている。
【０００３】
このような複数のインタロックスイッチは、例えば、電源と抵抗との間の電源ラインに直列に配置される（例えば、特許文献１〜３参照）。
【先行技術文献】
【特許文献】
【０００４】
【特許文献１】特開２００４−１１７６２３号公報
【特許文献２】特開２０１５−１６１８８５号公報
【特許文献３】特開２００７−１４００４４号公報
【発明の概要】
【発明が解決しようとする課題】
【０００５】
ところで、上述のように電源ラインに直列に配置される複数のインタロックスイッチでは、いずれかのインタロックスイッチが開くことによって電源ラインが開放状態になると、電力供給が遮断される。
【０００６】
しかしながら、電源ラインが開放状態になるだけでは、どのインタロックスイッチが開いたかは判別できないため、例えば、装置のどの部位に挿入物が挿入されているかの情報を、表示部における表示などでユーザへ報知することができない。
【０００７】
また、どのインタロックスイッチが開いたかを判別するためには、複数のインタロックスイッチのそれぞれが開いたかを判別するためのハード構成などが必要になる。
【０００８】
本発明の目的は、簡素な構成で、複数のインタロックスイッチの中から開閉したインタロックスイッチを推測することができるスイッチ開閉検出装置を提供することである。
【課題を解決するための手段】
【０００９】
１つの態様では、スイッチ開閉検出装置は、複数のインタロックスイッチが直列に接続された電源ラインが開放状態となったことを検出する検出部と、前記検出部によって前記電源ラインの開放状態が検出されたときの機器の状態に基づいて、前記複数のインタロックスイッチの中から開閉したインタロックスイッチを推測する推測部とを備える。
【発明の効果】
【００１０】
前記態様によれば、簡素な構成で、複数のインタロックスイッチの中から開閉したインタロックスイッチを推測することができる。
【図面の簡単な説明】
【００１１】
【図１】一実施の形態における印刷装置及び媒体供給装置の内部構造を示す図である。
【図２】一実施の形態における制御部を説明するための印刷装置及び媒体供給装置を示す図である。
【図３】一実施の形態における第２インタロックスイッチ及び第３インタロックスイッチの配置例を説明するための断面図である。
【図４】一実施の形態における制御部の処理を説明するためのフローチャートである。
【図５】一実施の形態における第１給紙トレイの動作状態とインタロックスイッチの開閉可能性との関係を表す表である。
【発明を実施するための形態】
【００１２】
以下、本発明の実施の形態に係るスイッチ開閉検出装置について、図面を参照しながら説明する。このスイッチ開閉検出装置は、例えば、印刷装置１の制御部９０である。
【００１３】
図１は、印刷装置１及び媒体供給装置１０１の内部構造を示す図である。
図２は、制御部９０を説明するための印刷装置１及び媒体供給装置１０１を示す図である。
【００１４】
図１及び図２に示すように、印刷装置１には、媒体供給装置１０１が連結されている。この媒体供給装置１０１は、媒体Ｍを印刷装置１に供給する。媒体Ｍは、例えば枚葉紙（用紙）である。なお、媒体供給装置１０１としては、印刷装置１に一体に備えられる媒体供給装置であってもよい。また、印刷装置１と媒体供給装置１０１とをまとめて印刷システムと呼ぶことができる。換言すると、この印刷システムは、印刷装置１と、媒体供給装置１０１とを備える。
【００１５】
図１に示すように、印刷装置１は、第１給紙トレイ１１と、第２給紙トレイ１２と、第３給紙トレイ１３と、第１給紙トレイ昇降モータ１４（図２参照）と、搬送経路２１と、複数の搬送ローラ２２と、印刷部３０と、吸着搬送部４０と、排紙トレイ５０と、筐体６０と、第２スイッチ用プレート７０（図３参照）と、操作パネル８０と、制御部９０と、第１インタロックスイッチＳＷ１と、第２インタロックスイッチＳＷ２とを備える。
【００１６】
第１給紙トレイ１１は、媒体供給装置１０１の上方において、印刷装置１の筐体６０の左側面に配置されている。第１給紙トレイ１１は、機器の一例であり、後述する第１給紙トレイ昇降モータ（駆動部の一例）１４によって駆動される。
【００１７】
図３に示すように、第１給紙トレイ１１は、トレイ本体１１ａと、媒体有無検知センサ１１ｂと、サイドフェンス１１ｃとを有する。第１給紙トレイ１１は、媒体Ｍを図１に示す印刷部３０へ供給する供給トレイの一例である。なお、この供給トレイは、媒体Ｍが積載される昇降可能なトレイの一例である。このトレイの他の一例としては、後述する排紙トレイ５０とは異なり昇降可能な排紙トレイが挙げられる。
【００１８】
第１給紙トレイ１１は、積載された最上位の媒体Ｍの高さを一定とするために、昇降可能に配置されている。また、第１給紙トレイ１１は、図１〜図３に示す開いた状態（使用状態）から、筐体６０の左側面に沿う収納状態へ向かって、第１給紙トレイ１１の下部を回転支軸として回転する。
【００１９】
トレイ本体１１ａには、媒体Ｍが積載される。
媒体有無検知センサ１１ｂは、トレイ本体１１ａ（第１給紙トレイ１１）に媒体Ｍが積載されているかを検知するためのセンサであり、例えば、トレイ本体１１ａの上面に配置された反射型光学センサである。
【００２０】
サイドフェンス１１ｃは、媒体Ｍの幅方向（図３における奥行き方向）における位置を規制するために、媒体Ｍを幅方向に挟んで一対配置されている。
【００２１】
図１に示す第２給紙トレイ１２及び第３給紙トレイ１３は、印刷装置１の筐体６０の内部に配置されている。第２給紙トレイ１２及び第３給紙トレイ１３には、媒体Ｍが積載される。
【００２２】
搬送経路２１は、媒体Ｍが搬送される経路である。図１において、搬送経路２１を、適宜矢印を付して実線で示す。搬送経路２１は、両面印刷のために媒体Ｍを反転させる反転経路２１ａを有する。
【００２３】
印刷部３０は、例えば、印刷に用いられる各色分の図示しないラインヘッド型インクジェットヘッドを有する。なお、印刷部３０の印刷方式は、インクジェット印刷方式以外の印刷方式であってもよい。
【００２４】
吸着搬送部４０は、印刷部３０に対向するように配置されている。搬送部４０は、吸着した媒体Ｍを搬送ベルトによって搬送する。なお、吸着搬送部４０は、媒体Ｍを搬送する搬送手段の一例である。
【００２５】
排紙トレイ５０は、印刷装置１の筐体６０の上部に配置され、印刷済みの媒体Ｍが積載される。排紙トレイ５０は、媒体排出トレイの一例である。図１に示す例では、排紙トレイ５０は昇降しないが、昇降可能な媒体排出トレイが配置されていてもよい。
【００２６】
筐体６０は、印刷部３０、吸着搬送部４０、後述する制御部９０等を収容する。
図３に示す第２スイッチ用プレート７０は、一端（図３における右端）を筐体６０の内部で回転可能に支持され、図示しない付勢機構（例えば、引っ張りバネ）によって上方に付勢されている。第２スイッチ用プレート７０は、このように上方に付勢された状態で、第２インタロックスイッチＳＷ２の底面に設けられたボタンを押下する。第２スイッチ用プレート７０は、第１給紙トレイ１１の下降時などに挿入物によって下方に押されることで、第２インタロックスイッチＳＷ２のボタンを押下する位置から下方に退避する。これにより、第２インタロックスイッチＳＷ２が開く。なお、第１インタロックスイッチＳＷ１にも、挿入物によって上方に押されることで第１インタロックスイッチＳＷ１を開くためのスイッチ用プレートが配置されているとよい。
【００２７】
図１に示す操作パネル８０は、表示部８１と、操作部８２とを有する。
表示部８１は、各種情報を表示するディスプレイである。操作部８２は、例えばテンキー、ボタンなどを有し、ユーザの操作を受け付ける。表示部８１は、タッチパネルを有することで、操作部８２と同様に、ユーザの操作を受け付ける操作部としても機能してよい。
【００２８】
図２に示す制御部９０は、マイコン９１と、電源制御回路９２と、検出用電源９３（５Ｖ）と、メイン電源９４（２４Ｖ）と、インタロック電源９５（２４Ｖ＿ＩＬ）と、モータドライバ９６と、抵抗Ｒとを有する。
【００２９】
マイコン９１は、演算処理装置として機能するプロセッサ（例えばＣＰＵ： Central Processing Unit）を有する。
【００３０】
マイコン９１は、第１インタロックスイッチＳＷ１、第２インタロックスイッチＳＷ２、及び第３インタロックスイッチＳＷ３（これら３つが複数のインタロックスイッチの一例）が直列に接続された電源ラインＬ（検出用電源９３と抵抗Ｒとを有する回路）が開放状態となったことを検出する検出部の一例である。電源ラインＬは、通常、第１〜第３インタロックスイッチＳＷ１〜ＳＷ３のすべてが閉じた状態で通電され、いずれかのインタロックスイッチが開くことで開放状態となる。
【００３１】
マイコン９１は、電源ラインＬにおいて、第１〜第３インタロックスイッチＳＷ１〜ＳＷ３と抵抗Ｒとの間に接続されている。マイコン９１は、印刷部３０、吸着搬送部４０等の印刷装置１の各部の動作を制御してもよい。また、マイコン９１は、電源ラインＬの開放状態が検出されたときの第１給紙トレイ１１（機器の一例）の動作状態（状態の一例）に基づいて、第１〜第３インタロックスイッチＳＷ１〜ＳＷ３の中から開閉したインタロックスイッチを推測する推測部の一例として機能してもよい。この推測部は、マイコン９１以外の処理装置、例えば、プロセッサ（例えばＣＰＵ）を有する処理装置であってもよい。
【００３２】
また、マイコン９１は、推測部によって推測されたインタロックスイッチをユーザに放置する報知制御を行う報知制御部の一例として機能してもよい。マイコン９１は、例えば、表示部８１の表示制御を行うことで、ユーザへの報知を行うことができるほか、表示部８１以外の表示部（ランプ等）や、音声出力部を制御することによって、ユーザへの報知制御を行ってもよい。また、詳しくは後述するが、マイコン９１は、第１〜第３インタロックスイッチの中から、開閉した可能性が高い順に複数のインタロックスイッチが推測される場合には、この複数のインタロックスイッチの配置箇所を、インタロックスイッチが開閉した可能性が高い順にユーザに報知する報知制御を行うとよい。なお、インタロックスイッチの配置箇所を、インタロックスイッチが開閉した可能性が高い順にユーザに報知する際に、表示部８１等のディスプレイにおける表示ではなく、ランプにおける表示を行う場合には、ランプの明るさ（例えば、明るい順）や色（例えば、赤、黄の順）でユーザへの報知を行ってもよい。また、報知制御部も、マイコン９１以外の処理装置、例えば、プロセッサ（例えばＣＰＵ）を有する処理装置であってもよい。
【００３３】
電源制御回路９２は、例えば、メイン電源９４及びインタロック電源９５のＯＮ／ＯＦＦを切り替える制御を行う。電源制御回路９２は、第１〜第３インタロックスイッチＳＷ１〜ＳＷ３と抵抗Ｒとの間に接続されている。電源制御回路９２は、電源ラインＬが開放状態となることで、インタロック電源９５から第１給紙トレイ昇降モータ（駆動部の一例）１４への電力供給を遮断する電力供給遮断部の一例として機能する。
【００３４】
メイン電源９４は、第１〜第３インタロックスイッチＳＷ１〜ＳＷ３の開閉によっては電力供給を遮断されない電源であり、操作パネル８０等に電力供給を行う。
【００３５】
インタロック電源９５は、第１〜第３インタロックスイッチＳＷ１〜ＳＷ３の開閉によって電力供給を遮断される電源であり、第１給紙トレイ１１等に電力供給を行う。
【００３６】
モータドライバ９６は、インタロック電源９５から電力が供給されているときに、例えばマイコン９１の制御により第１給紙トレイ昇降モータ１４を駆動するドライバである。
【００３７】
第１インタロックスイッチＳＷ１は、印刷装置１において、第１給紙トレイ１１の上方に配置されている。
【００３８】
第２インタロックスイッチＳＷ２は、印刷装置１において、第１給紙トレイ１１の下方に配置されている。
【００３９】
第３インタロックスイッチＳＷ３は、媒体供給装置１０１において、第１給紙トレイ１１の下方に配置されている。
【００４０】
図１に示すように、媒体供給装置１０１は、給紙トレイ１１０と、繰り出しローラ１２１，１２２と、筐体１３０と、第３スイッチ用プレート１４０（図３参照）と、可動カバー１５０（図３参照）と、第３インタロックスイッチＳＷ３とを備える。
【００４１】
給紙トレイ１１０には、媒体Ｍが積載される。
２つの繰り出しローラ１２１，１２２のうち一方の繰り出しローラ１２１は、給紙トレイ１１０に積載された最上位の媒体Ｍを繰り出し、他方の繰り出しローラ１２２は、繰り出しローラ１２１によって繰り出された媒体Ｍを、印刷装置１に向けて搬送する。なお、繰り出しローラ１２１，１２２は、繰り出し部の一例である。この繰り出し部としては、繰り出しベルトなどであってもよい。
【００４２】
筐体１３０は、給紙トレイ１１０や、この給紙トレイ１１０に積載される媒体Ｍなどを収容する。
【００４３】
図３に示す第３スイッチ用プレート１４０は、筐体１３０によって昇降可能に支持され、図示しない付勢機構によって第３インタロックスイッチＳＷ３の底面に設けられたボタンを押下するように上方に付勢されている。
【００４４】
可動カバー１５０は、第３スイッチ用プレート１４０とは独立して昇降可能に筐体１３０によって支持され、図示しない付勢機構によって上方に付勢されている。可動カバー１５０は、挿入物によって下方に押されていないとき、筐体１３０の上面よりも上方に突出する。
【００４５】
可動カバー１５０の印刷装置１側（図３における右側）の先端には、下方に窪むように湾曲する先端湾曲部１５１が設けられている。このように先端湾曲部１５１が下方に湾曲することで可動カバー１５０には上面に凹部が形成され、この凹部によって、第１給紙トレイ１１が筐体６０の左側面に沿う収納状態へ向かって回転する際に、第１給紙トレイ１１と可動カバー１５０との干渉を回避することができる。また、可動カバー１５０の底面には、第３スイッチ用プレート１４０を押圧する押圧部１５２が下方に突出するように設けられている。
【００４６】
第３スイッチ用プレート１４０は、第１給紙トレイ１１の下降時などに挿入物によって可動カバー１５０が下方に押されることで、可動カバー１５０の押圧部１５２によって下方に押圧される。これにより、第３スイッチ用プレート１４０が第３インタロックスイッチＳＷ３のボタンを押下する位置から下方に退避し、第３インタロックスイッチＳＷ３が開く。
【００４７】
なお、本実施の形態では、媒体供給装置１０１が印刷装置１に連結されるが、媒体供給装置１０１及びこの媒体供給装置１０１に配置された第３インタロックスイッチＳＷ３が省略され、複数のインタロックスイッチとして、印刷装置１の第１及び第２インタロックスイッチＳＷ１，ＳＷ２のみが配置されていてもよい。また、本実施の形態では、スイッチ開閉検出装置（制御部９０）が印刷システム（印刷装置１）に配置される例について説明しているが、スイッチ開閉検出装置（制御部９０）及び第１〜第３インタロックスイッチＳＷ１〜ＳＷ３は、印刷を行わない他の装置に配置されてもよい。
【００４８】
図４は、制御部９０の処理を説明するためのフローチャートである。
図５は、第１給紙トレイ１１の動作状態と第１〜第３インタロックスイッチＳＷ１〜ＳＷ３の開閉可能性との関係を表す表（テーブル）である。
【００４９】
図４に示す処理は、例えばマイコン９１によって行われる。マイコン９１は、上述のように第１〜第３インタロックスイッチＳＷ１〜ＳＷ３のいずれかが開くことで電源ラインＬが開放状態となったことを検出すると、図４に示す処理を開始する。また、図５に示す表は、例えばテーブルとして、制御部９０内の記憶部に記憶され、マイコン９１によって参照されるとよい。
【００５０】
まず、マイコン９１は、電源ラインＬの開放状態が検出されたときの第１給紙トレイ１１の動作状態を取得する。この動作状態は、例えば、図５に示すように、第１給紙トレイ１１が動作中であれば、［Ａ］上昇中、［Ｂ］媒体供給中、又は［Ｃ］下降中であり、動作中でなければ、［Ｄ］停止中である。このように、第１給紙トレイ１１を一例とする供給トレイの動作状態は、上昇中、媒体供給中、下降中、及び停止中のうち少なくとも１つを含むとよい。
【００５１】
第１給紙トレイ１１の［Ａ］上昇中は、例えば、［Ａ１］媒体Ｍが積載されていない状態で下限位置から上限位置へ向かって移動し、上限位置に到達するタイミング（例えば、上昇速度と移動距離とから算出可能な到達予定時間の前後の所定時間）と、［Ａ２］媒体Ｍが積載されていない状態で下限位置から上限位置へ向かって移動し、上限位置に到達するタイミングよりも前と、［Ａ３］媒体Ｍが積載されている状態での上昇中、及び下限位置以外からの上昇中（媒体Ｍの積載有無に関わらず）との３つに分けることができる。なお、第１給紙トレイ１１に媒体Ｍが積載されているか否かは、上述の図３に示す媒体有無検知センサ１１ｂの出力信号に基づいて判別することができる。
【００５２】
第１給紙トレイ１１の［Ｂ］媒体供給中は、最上位の媒体Ｍの高さを一定に保つために例えば断続的に上昇しているときである。
【００５３】
第１給紙トレイ１１の［Ｃ］下降中は、例えば、［Ｃ１］供給中の媒体Ｍが無くなり（上限位置から）下限位置へ向かって移動し、下限位置に到達するタイミング（例えば、下降速度と移動距離とから算出可能な到達予定時間の前後の所定時間）と、［Ｃ２］供給中の媒体Ｍが無くなり（上限位置から）下限位置へ向かって移動し、下限位置に到達するタイミングよりも前と、［Ｃ３］媒体Ｍが積載されている状態での下降中、及び上限位置以外からの下降中（媒体Ｍの積載有無に関わらず）との３つに分けることができる。
【００５４】
図４のフローチャートに戻り、マイコン９１は、電源ラインＬの開放状態が検出されたときの第１給紙トレイ１１の動作状態が［Ａ］上昇中であるかを判定する（ステップＳ１）。
【００５５】
マイコン９１は、第１給紙トレイ１１の動作状態が［Ａ］上昇中であると判定すると（ステップＳ１：ＹＥＳ）、第１給紙トレイ１１の動作状態が［Ａ１］媒体Ｍが積載されていない状態で下限位置から上限位置へ向かって移動し、上限位置に到達するタイミングであるかを判定する（ステップＳ２）。
【００５６】
マイコン９１は、第１給紙トレイ１１の動作状態が［Ａ１］である場合（ステップＳ２：ＹＥＳ）、図５に示す表（テーブル）を参照し、開閉した可能性が最も高い第１インタロックスイッチＳＷ１（「高」）の配置箇所が第１給紙トレイ１１の上部であり、開閉した可能性が次に高い第３インタロックスイッチＳＷ３（「中」）の配置箇所が媒体供給装置１０１の上部であると判別することができる。そのため、マイコン９１は、第１給紙トレイ１１の上部及び媒体供給装置１０１の上部を順に表すエラーメッセージ［１］を表示部８１に表示する表示制御を行い（ステップＳ１１）、図４に示す処理を終了する。このエラーメッセージ［１］は、例えば、「給紙台上部、または拡張給紙トレイ上部を確認してください」である。ここで、「給紙台上部」は、第１給紙トレイ１１の上部を指し、「拡張給紙トレイ上部」は、媒体供給装置１０１の上部を指す。
【００５７】
マイコン９１は、上述のステップＳ１において、第１給紙トレイ１１の動作状態が［Ａ］上昇中でないと判定すると（ステップＳ１：ＮＯ）、電源ラインＬの開放状態が検出されたときの第１給紙トレイ１１の動作状態が［Ｃ］下降中であるかを判定する（ステップＳ３）。
【００５８】
マイコン９１は、第１給紙トレイ１１の動作状態が［Ｃ］下降中であると判定すると（ステップＳ３：ＹＥＳ）、第１給紙トレイ１１の動作状態が［Ｃ１］媒体Ｍが無くなり上限位置から下限位置へ向かって移動し、下限位置に到達するタイミングであるかを判定する（ステップＳ４）。
【００５９】
マイコン９１は、第１給紙トレイ１１の動作状態が［Ｃ１］である場合（ステップＳ４：ＹＥＳ）、図５に示す表（テーブル）を参照し、開閉した可能性が最も高い第２インタロックスイッチＳＷ２（「高」）の配置箇所が第１給紙トレイ１１の下部であり、開閉した可能性が次に高い第３インタロックスイッチＳＷ３（「中」）の配置箇所が媒体供給装置１０１の上部であると判別することができる。そのため、マイコン９１は、第１給紙トレイ１１の下部及び媒体供給装置１０１の上部を順に表すエラーメッセージ［２］を表示部８１に表示する表示制御を行い（ステップＳ１２）、図４に示す処理を終了する。このエラーメッセージ［２］は、例えば、「給紙台下部、または拡張給紙トレイ上部を確認してください」である。
【００６０】
マイコン９１は、上述のステップＳ２の判定処理において動作状態が［Ａ２］又は［Ａ３］である場合（ステップＳ２：ＮＯ）、上述のステップＳ３において動作状態が［Ｂ］又は［Ｄ］の場合（ステップＳ３：ＮＯ）、及び、上述のステップＳ４において動作状態が［Ｃ２］又は［Ｃ３］の場合（ステップＳ４：ＮＯ）、ステップＳ１３の処理に進む。マイコン９１は、これらの場合、図５に示す表（テーブル）を参照し、開閉した可能性が最も高い第３インタロックスイッチＳＷ３（「高」）の配置箇所が媒体供給装置１０１の上部であり、開閉した可能性が次に高い第１インタロックスイッチＳＷ１（「中」若しくは「低」）又は第２インタロックスイッチＳＷ２（「低」若しくは「中」）の配置箇所が第１給紙トレイ１１の上部又は下部であると判別することができる。そのため、マイコン９１は、媒体供給装置１０１の上部及び媒体供給装置１０１を順に表すエラーメッセージ［３］を表示部８１に表示する表示制御を行い（ステップＳ１３）、図４に示す処理を終了する。このエラーメッセージ［３］は、例えば、「拡張給紙トレイ上部、または給紙台を確認してください」である。
【００６１】
ここで、エラーメッセージ［３］では、第１給紙トレイ１１（給紙台）の上部であるか下部であるかが特定されていないが、動作状態が［Ａ２］又は［Ａ３］の場合、第１給紙トレイ１１の上昇中には、第１給紙トレイ１１の上部に配置された第１インタロックスイッチＳＷ１が開閉する可能性（「中」）が、第１給紙トレイ１１の下部に配置された第２インタロックスイッチＳＷ２が開閉する可能性（「低」）よりも高くなる。そのため、マイコン９１は、「拡張給紙トレイ上部、または給紙台上部を確認してください」というエラーメッセージを表示部８１に表示する表示制御を行ってもよい。
【００６２】
また、動作状態が［Ｃ２］又は［Ｃ３］の場合、第１給紙トレイ１１が下降中には、第１給紙トレイ１１の下部に配置された第２インタロックスイッチＳＷ２が開閉する可能性（「中」）が、第１給紙トレイ１１の上部に配置された第１インタロックスイッチＳＷ１が開閉する可能性（「低」）よりも高くなる。そのため、マイコン９１は、「拡張給紙トレイ上部、または給紙台下部を確認してください」というエラーメッセージを表示部８１に表示する表示制御を行ってもよい。なお、動作状態が［Ｃ２］又は［Ｃ３］の場合に第１給紙第１給紙トレイ１１の下部に配置された第２インタロックスイッチＳＷ２が開閉する可能性（「中」）よりも、媒体供給装置１０１の上部に配置された第３インタロックスイッチＳＷ３が開閉する可能性（「高」）が高くなるのは、媒体供給装置１０１の上部が第１給紙トレイ１１の下部よりも印刷システム１の外部に露出しやすいことで挿入物が挿入されやすくなるためである。
【００６３】
以上説明した本実施の形態では、制御部（スイッチ開閉検出装置の一例）９０は、第１〜第３インタロックスイッチ（複数のインタロックスイッチの一例）ＳＷ１〜ＳＷ３が直列に接続された電源ラインＬが開放状態となったことを検出する検出部（例えば、マイコン９１）と、この検出部によって電源ラインＬの開放状態が検出されたときの第１給紙トレイ１１（機器の一例）の状態に基づいて、第１〜第３インタロックスイッチＳＷ１〜ＳＷ３の中から開閉したインタロックスイッチを推測する推測部（例えば、マイコン９１）とを備える。
【００６４】
これにより、挿入物が挟まるなどして第１〜第３インタロックスイッチＳＷ１〜ＳＷ３のいずれかのインタロックスイッチが開閉したことを、第１〜第３インタロックスイッチＳＷ１〜ＳＷ３が直列に接続された電源ラインＬの開放状態が検出されたことによって判別することができる。また、電源ラインＬの開閉状態が検出されたときの機器の状態に基づいて、開閉したインタロックスイッチを推測することができる。そのため、第１〜第３インタロックスイッチＳＷ１〜ＳＷ３のそれぞれの開閉を検出する構成を配置しなくとも、開閉したインタロックスイッチを推測することができる。よって、本実施の形態によれば、簡素な構成で、複数のインタロックスイッチの中から開閉したインタロックスイッチを推測することができる。
【００６５】
また、本実施の形態では、制御部９０は、電源ラインＬが開放状態となることで、第１給紙トレイ１１（機器の一例）を駆動する第１給紙トレイ昇降モータ１４（駆動部の一例）への電力供給を遮断する電源制御回路９２（電力供給遮断部の一例）を更に備え、第１給紙トレイ１１の状態は、第１給紙トレイ昇降モータ１４によって駆動される第１給紙トレイ１１の動作状態である。例えば、この動作状態は、機器が、積載される媒体Ｍを印刷部３０へ供給する昇降可能な第１給紙トレイ１１（供給トレイの一例）である場合、上昇中、媒体供給中、下降中、及び停止中のうち少なくとも１つを含むとよい。これにより、開閉したインタロックスイッチが推測される際に状態を参照される機器（例えば、第１給紙トレイ１１）と、インタロックスイッチの開閉により電力供給が遮断される機器（例えば、第１給紙トレイ１１）とを同一にすることができる。また、状態を参照される機器が、モータドライバ９６による第１給紙トレイ昇降モータ１４の駆動制御によって昇降する第１給紙トレイ１１であることによって、どのような駆動制御が行われているかの情報をモータドライバ９６（制御部９０）から取得することができるため、センサ等によって機器（例えば、第１給紙トレイ１１などの駆動される機器、或いは扉などの駆動されない機器）の状態を取得する態様（比較例）と比較して、具体的な動作状態（どこから移動を開始しているかなど）を取得しやすくすることができる。
【００６６】
また、本実施の形態では、開閉したインタロックスイッチが推測される際に状態を参照される機器は、媒体Ｍが積載される昇降可能なトレイ（例えば、第１給紙トレイ１１等の供給トレイ、又は媒体排出トレイ）であり、複数のインタロックスイッチは、トレイ（第１給紙トレイ１１）の上方に配置された第１インタロックスイッチＳＷ１と、トレイの下方に配置された第２インタロックスイッチＳＷ２とを含む。これにより、昇降するトレイの上下に配置される第１及び第２インタロックスイッチＳＷ１，ＳＷ２の開閉の検出を、トレイの状態に基づいて推測することができる。そのため、開閉したインタロックスイッチの推測の精度を高めることができる。
【００６７】
また、本実施の形態では、上記の昇降可能なトレイは、媒体Ｍを印刷部３０へ供給する第１給紙トレイ１１（供給トレイの一例）であり、複数のインタロックスイッチは、印刷部３０と第１給紙トレイ１１とを備える印刷装置１に連結される媒体供給装置１０１に配置された第３インタロックスイッチＳＷ３を更に含み、この第３インタロックスイッチＳＷ３は、第１給紙トレイ１１の下方に配置されている。これにより、昇降する第１給紙トレイ１１の上下に配置される第１〜第３インタロックスイッチＳＷ１〜ＳＷ３の開閉の検出を、単一の第１給紙トレイ１１の状態に基づいて推測することができるため、開閉したインタロックスイッチの推測の精度を高めることができるとともに、推測の制御を簡略化することができる。
【００６８】
また、本実施の形態では、推測部（例えば、マイコン９１）は、機器（例えば、第１給紙トレイ１１）の状態に基づいて、第１〜第３インタロックスイッチＳＷ１〜ＳＷ３の中から、開閉した可能性が高い順に複数のインタロックスイッチの候補を推測し、制御部９０（スイッチ開閉検出装置の一例）は、推測部によって推測された複数のインタロックスイッチの配置箇所を、インタロックスイッチが開閉した可能性が高い順にユーザに報知する報知制御を行う報知制御部（例えば、マイコン９１）を更に備える。これにより、開閉した可能性が高いインタロックスイッチの順に配置箇所をユーザに報知することができるため、インタロックスイッチの開閉の原因をユーザに特定させやすくすることができる。
【００６９】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００７０】
［付記１］
複数のインタロックスイッチが直列に接続された電源ラインが開放状態となったことを検出する検出部と、
前記検出部によって前記電源ラインの開放状態が検出されたときの機器の状態に基づいて、前記複数のインタロックスイッチの中から開閉したインタロックスイッチを推測する推測部と
を備えることを特徴とするスイッチ開閉検出装置。
【００７１】
［付記２］
前記電源ラインが開放状態となることで、前記機器を駆動する駆動部への電力供給を遮断する電力供給遮断部を更に備え、
前記機器の状態は、前記駆動部によって駆動される前記機器の動作状態である
ことを特徴とする付記１記載のスイッチ開閉検出装置。
【００７２】
［付記３］
前記機器は、媒体が積載される昇降可能なトレイであり、
前記複数のインタロックスイッチは、前記トレイの上方に配置された第１インタロックスイッチと、前記トレイの下方に配置された第２インタロックスイッチとを含む
ことを特徴とする付記１又は２記載のスイッチ開閉検出装置。
【００７３】
［付記４］
前記トレイは、前記媒体を印刷部へ供給する供給トレイであり、
前記複数のインタロックスイッチは、前記印刷部と前記供給トレイとを備える印刷装置に連結される媒体供給装置に配置された第３インタロックスイッチを更に含み、
前記第３インタロックスイッチは、前記供給トレイの下方に配置されている
ことを特徴とする付記３記載のスイッチ開閉検出装置。
【００７４】
［付記５］
前記機器は、積載される媒体を印刷部へ供給する昇降可能な供給トレイであり、
前記供給トレイの動作状態は、上昇中、媒体供給中、下降中、及び停止中のうち少なくとも１つを含む
ことを特徴とする付記２記載のスイッチ開閉検出装置。
【００７５】
［付記６］
前記推測部は、前記機器の状態に基づいて、前記複数のインタロックスイッチの中から、開閉した可能性が高い複数のインタロックスイッチの候補を推測し、
前記スイッチ開閉検出装置は、前記推測部によって推測された前記複数のインタロックスイッチの配置箇所を、前記インタロックスイッチが開閉した可能性が高い順にユーザに報知する報知制御を行う報知制御部を更に備える
ことを特徴とする付記１から５のいずれか記載のスイッチ開閉検出装置。
【符号の説明】
【００７６】
１  印刷装置
１１  第１給紙トレイ
１１ａ  トレイ本体
１１ｂ  媒体有無検知センサ
１１ｃ  サイドフェンス
１２  第２給紙トレイ
１３  第３給紙トレイ
１４  第１給紙トレイ昇降モータ
２１  搬送経路
２１ａ  反転経路
２２  搬送ローラ
３０  印刷部
４０  吸着搬送部
５０  排紙トレイ
６０  筐体
７０  第２スイッチ用プレート
８０  操作パネル
８１  表示部
８２  操作部
９０  制御部
９１  マイコン
９２  電源制御回路
９３  検出用電源
９４  メイン電源
９５  インタロック電源
９６  モータドライバ
１０１  媒体供給装置
１１０  供給トレイ
１２１，１２２  繰り出しローラ
１３０  筐体
１４０  第３スイッチ用プレート
１５０  可動カバー
１５１  先端湾曲部
１５２  押圧部
Ｌ  電源ライン
Ｍ  媒体
ＳＷ１  第１インタロックスイッチ
ＳＷ２  第２インタロックスイッチ
ＳＷ３  第３インタロックスイッチ
【図１】
2020152549.tif 000003
【図２】
2020152549.tif 000004
【図３】
2020152549.tif 000005
【図４】
2020152549.tif 000006
【図５】
2020152549.tif 000007